(57)【要約】【課題】  画像データを受信して、浮き上がって見えるように立体表示する立体画像表示可能なカメラ付携帯端末の提供。【解決手段】  ２眼カメラ２８を備えた携帯電話で撮影した物体３のステレオ表示画像データを、携帯電話２から、基地局４、モバイル通信網や無線ＬＡＮ通信網等の無線通信網５を介して基地局６を介して通話相手７の携帯電話８宛に送信すると、携帯電話８は受信したステレオ表示画像データを左右画像データに分離して、内蔵する立体画像表示装置３３の合成表示手段に送り、合成表示手段に立体的に合成表示される２次元画像（もしくはステレオ表示画像）を、内蔵するハーフミラーや凹面鏡等からなる立体表示部材に投影して携帯電話８の立体画像表示窓１０を介して空間に浮かんでいるように虚像の立体映像１１として表示する。【選択図】      図１
2010141447.tif 000002
【特許請求の範囲】
【請求項１】
画像データを送受信可能に構成されたカメラ付携帯情報端末であって、
１回のシャッター操作により視差の異なる画像を撮影する複数のカメラと、
前記複数のカメラによって撮影された視差の異なる画像からなる２次元画像データをそれぞれ生成する画像データ生成手段と、
前記画像データ生成手段によって生成された各２次元画像データを合成表示する合成表示手段と、
前記合成表示手段によって合成表示される２次元画像を立体表示部材に投影する画像投影手段とを、筐体に内蔵し、
前記立体表示部材の前面空間に、前記画像投影手段により投影される２次元画像を元にした立体画像の虚像を表示することを特徴とするカメラ付携帯情報端末。
【請求項２】
前記立体表示部材はハーフミラーからなることを特徴とする請求項１記載のカメラ付携帯情報端末。
【請求項３】
前記立体表示部材は凹面鏡からなることを特徴とする請求項１記載のカメラ付携帯情報端末。
【請求項４】
前記合成表示手段はＬＣＤ表示パネルからなり、
前記投影手段は、前記合成表示手段によって合成表示される２次元画像を反射してハーフミラーからなる前記立体表示部材に投影する平面反射鏡を備え、
上記ハーフミラーの前面空間に前記平面反射鏡により投影される２次元画像を元にした立体画像の虚像を表示することを特徴とする請求項２に記載のカメラ付携帯情報端末。
【請求項５】
前記合成表示手段は積層型ＬＣＤからなり、
前記投影手段は、前記合成表示手段によって合成表示される２次元画像を反射してハーフミラーからなる前記立体表示部材に投影する反射鏡を備え、
上記ハーフミラーの前面空間に、前記反射鏡により投影される２次元画像を元にした立体画像の虚像を表示することを特徴とする請求項２に記載のカメラ付携帯情報端末。
【請求項６】
前記合成表示手段は、複数個のＬＥＤ若しくは有機ＥＬを筒体上に２次元配列してなる回転表示体からなり、
前記投影手段は、前記合成表示手段によって合成表示される２次元画像を反射して凹面鏡からなる前記立体表示部材に投影する凹面鏡を備え、
上記凹面鏡の前面空間に、前記凹面鏡により投影される２次元画像を元にした立体画像の虚像を表示することを特徴とする請求項３に記載のカメラ付携帯情報端末。
【請求項７】
前記合成表示手段はＬＣＤ表示パネルからなり、
前記投影手段は、前記合成表示手段によって合成表示される２次元画像をスクリーン表示して凹面鏡からなる前記立体表示部材に投影する回転スクリーンを備え、
上記凹面鏡の焦点空間に、前記凹面鏡により投影される２次元画像を元にした立体画像の虚像を表示することを特徴とする請求項３に記載のカメラ付携帯情報端末。
【請求項８】
前記合成表示手段はＬＣＤ表示パネルからなり、
前記投影手段は、前記合成表示手段によって合成表示される２次元画像を投影する３次元ダミーと、２次元画像を投影後の該３次元ダミーによって形成された立体画像を反射して凹面鏡からなる前記立体表示部材に投影する凹面鏡とを備え、
上記凹面鏡の焦点空間に、前記凹面鏡により投影される立体画像の虚像を表示することを特徴とする請求項３に記載のカメラ付携帯情報端末。
【発明の詳細な説明】
【技術分野】
【０００１】
本発明は、立体画像データを受信して画面の中央部に浮き上がって見えるように立体表示する立体画像表示機能を備えたカメラ付携帯情報端末に関する。
【背景技術】
【０００２】
従来、立体像表示技術として、ステレオ立体視表示、各種の奥行き感や空中浮遊画像表示、３次元表示ホログラム映像表示等に等に関わる技術が開発されている。
このうち、最も実用化が進んでいる、赤青メガネや偏光グラスなど左右画像切替え用のメガネを用いるステレオ立体視表示方式では構成が容易であるが、ユーザにとって、左右画像切替え用のメメガネを装着しなければならない煩わしさがあった。
また、メガネを用いない立体像表示技術として、パララックスバリア方式やレンチキュラー方式のステレオ表示液晶などが開発されており、携帯電話の表示としても実用化されているが、バリアが目立ったり、高精細化に限界があったり、大画面では飛び出し効果はあっても、視野が表示内に限られるので、携帯電話などに内蔵の小さな表示では、空中浮遊感や立体効果、リアリティに乏しい難点があり、実用性が少なく、期待通りに普及していない実情があった。
また、疑似立体表示では、凹面鏡式や、空中像投影式や、空気層に２次元映像投影する方式など比較的簡易構造のものから、本格的な３次元表示では、回転ミラー方式や、分割ミラー方式や、回転スクリーン式など、いわゆる体積走査型の各種の３次元表示や立体表示方式も研究開発されているが、一般に、装置が大掛かりになり、モバイル端末などには実装しにくかった。また、特殊で複雑、高価な装置となる割には、専用のコンテンツや番組の制作を必要とするという問題点があった。
【０００３】
ここで、携帯電話で３次元画像データから立体表示を実現する技術として、通常の平面表示装置に３Ｄ画像を表示するもの（例えば、特許文献１参照）や、実際に浮き上がる立体表示を実現しているもの（例えば特許文献２参照）がある。また、携帯電話で立体画像を撮影する技術（例えば、特許文献３参照）がある。
【０００４】
上記特許文献１には、合成画像作成システムサーバから提示される画像データを選択していくことで、合成画像作成システムサーバで３Ｄアニメーションファイルを生成し、該３Ｄアニメーションファイルをメールに添付して送信する場合には、合成画像作成システムサーバは、受信側の表示性能を判別し、受信側が３Ｄアニメーションファイルを表示可能であれば、メール本文と３Ｄアニメーションファイルと送信し、表示不可であれば、メール本文と３ＤアニメーションファイルをＧＩＦファイル（複数）に変換して送信することにより、メールに添付しても再生可能な表現力を持たせた合成立体画像を作成可能とする携帯電話が開示されている。
【０００５】
また、上記特許文献２には、二次元画像を表示する表示部を備える携帯電話において、一対のマイクロレンズアレイからなるマイクロレンズユニットと、このマイクロレンズユニットを支持し、マイクロレンズユニットが表示部１１に対して略焦点距離離隔する位置に対向配置する第１の位置と、マイクロレンズユニットが表示部に対向しない第２の位置との間を移動可能なパネル部とを設けることにより、表示部に表示された二次元画像を擬似立体画像として表示するようにした携帯電話が開示されている。
【０００６】
また、上記特許文献３には、第一のカメラ３Ｌと表示部が配置された第一の筐体と、第一の筐体をスライド自在に載置し、第二のカメラ３Ｒが配置された第二の筐体とで構成された立体撮影機能付き携帯電話であって、第一のカメラ３Ｌは、第一の筐体のスライド方向の端部に配置され、第二のカメラ３Ｒは、第二の筐体の第一のカメラ３Ｌのスライド方向とは反対側の方向の端部に配置され、第一の筐体をスライドさせると第一のカメラ３Ｌと第二のカメラ３Ｒの間の距離が大きくなるように構成することにより、カメラ間の視差を大きくでき、立体画像を生成するのに適したスライド式の立体撮影機能付き携帯電話が開示されている。
【０００７】
【特許文献１】特開２００７−２３４０１６号公報
【特許文献２】特開２００２−７７３４１号公報
【特許文献３】特開２００６−３４５２７６号公報
【発明の開示】
【発明が解決しようとする課題】
【０００８】
しかしながら、特許文献１に開示の携帯電話は、通常の平面表示装置に３Ｄ画像を表示するものであって、実際に画面から浮き上がって見えるような立体表示を実現しているわけではなく、特許文献２に開示の携帯電話は、実際に画面から浮き上がって見えるような立体表示を実現できるものの、マイクロレンズアレイによる表示装置そのものの発明であって、折り畳み式携帯電話の中央部に浮き上がって見えるような技術は開示されていない。
【０００９】
また、特許文献３に記載の携帯電話には、携帯電話で立体画像を撮影する技術が開示されているが、撮影結果を通信網を介して相手方電話機に送信し、相手方電話機において立体表示するという技術は開示されていない。
【００１０】
上記から明らかなように、従来技術では、携帯電話で立体画像を撮影し、撮影結果を通信網を介して相手方電話機に送信し、相手方電話機の画面の中央部に浮き上がって見えるように立体表示する携帯電話が開発されていないといった課題があった。
【００１１】
本発明は上記課題を解決するためになされたものであり、立体画像データを受信して、浮き上がって見えるように立体表示する立体画像表示可能なカメラ付携帯端末の提供を目的とする。
【課題を解決するための手段】
【００１２】
本発明は、画像データを送受信可能に構成されたカメラ付携帯情報端末であって、１回のシャッター操作により視差の異なる画像を撮影する複数のカメラと、複数のカメラによって撮影された視差の異なる画像からなる２次元画像データをそれぞれ生成する画像データ生成手段と、画像データ生成手段によって生成された各２次元画像データを合成表示する合成表示手段と、合成表示手段によって合成表示される２次元画像を立体表示部材に投影する画像投影手段とを、筐体に内蔵し、立体表示部材の前面空間に、画像投影手段により投影される２次元画像を元にした立体画像の虚像を表示することを特徴とするカメラ付携帯情報端末を提供するものである。
また、前記立体表示部材はハーフミラーからなることを特徴とするカメラ付携帯情報端末を提供するものである。
また、前記立体表示部材は凹面鏡からなることを特徴とするカメラ付携帯情報端末を提供するものである。
【００１３】
また、前記合成表示手段はＬＣＤ表示パネルからなり、前記投影手段は、前記合成表示手段によって合成表示される２次元画像を反射してハーフミラーからなる前記立体表示部材に投影する平面反射鏡を備え、上記ハーフミラーの前面空間に前記平面反射鏡により投影される２次元画像を元にした立体画像の虚像を表示することを特徴とするカメラ付携帯情報端末を提供するものである。
【００１４】
また、前記合成表示手段は積層型ＬＣＤからなり、前記投影手段は、前記合成表示手段によって合成表示される２次元画像を反射してハーフミラーからなる前記立体表示部材に投影する反射鏡を備え、上記ハーフミラーの前面空間に、前記反射鏡により投影される２次元画像を元にした立体画像の虚像を表示することを特徴とするカメラ付携帯情報端末を提供するものである。
【００１５】
また、前記合成表示手段は、複数個のＬＥＤ若しくは有機ＥＬを筒体上に２次元配列してなる回転表示体からなり、前記投影手段は、前記合成表示手段によって合成表示される２次元画像を反射して凹面鏡からなる前記立体表示部材に投影する凹面鏡を備え、  上記凹面鏡の前面空間に、前記凹面鏡により投影される２次元画像を元にした立体画像の虚像を表示することを特徴とするカメラ付携帯情報端末を提供するものである。
また、前記合成表示手段はＬＣＤ表示パネルからなり、前記投影手段は、前記合成表示手段によって合成表示される２次元画像をスクリーン表示して凹面鏡からなる前記立体表示部材に投影する回転スクリーンを備え、上記凹面鏡の焦点空間に、前記凹面鏡により投影される２次元画像を元にした立体画像の虚像を表示することを特徴とするカメラ付携帯情報端末を提供するものである。
【００１６】
また、前記合成表示手段はＬＣＤ表示パネルからなり、前記投影手段は、前記合成表示手段によって合成表示される２次元画像を投影する３次元ダミーと、２次元画像を投影後の該３次元ダミーによって形成された立体画像を反射して凹面鏡からなる前記立体表示部材に投影する凹面鏡とを備え、上記凹面鏡の焦点空間に、前記凹面鏡により投影される立体画像の虚像を表示することを特徴とするカメラ付携帯情報端末を提供するものである。
【発明の効果】
【００１７】
本発明によれば、従来のステレオ方式の３Ｄ液晶などと異なり、小型端末であっても、飛び出して見え、空中浮遊感やより立体感のある立体表示を実現できる。
また、従来のステレオ方式の３Ｄ液晶などと違って、単に前後に飛び出すような驚き映像だけでなく、空中に浮遊する実在感、リアル感のある相手の顔を見ながら、テレビ電話通話をしたり、ホームページや相手端末から送信された商品や物体を、周囲から詳細に眺めたり、ユーザだけでなく、周りの家族や友人とも一緒に楽しむことができ、撮影された人物や、商品や、物体の具体的なイメージが一目瞭然で分かるので、より密で情報量の高いコミュニケーションが図れる。
【発明を実施するための最良の形態】
【００１８】
本発明のカメラ付情報端末は、２眼カメラ（ステレオカメラ）など複数のカメラを備え、撮影された被写体像を順次３次元画像データに変換する。また、凹面鏡式やハーフミラー式を用いた疑似立体表示方式を適用した立体画像表示装置３３、あるいは、体積走査型の各種３次元表示方式を適用した立体画像表示装置３３をモバイル端末に内蔵できるように構成して、小型の携帯端末でも、空中浮遊感や立体感のあるユニークな表示を実現する。
【００１９】
図１〜図３に本発明のカメラ付情報端末を用いた立体画像表示システムの概要説明図を示す。図１〜図３ではカメラ付情報端末として２眼カメラ２８など複数のカメラを備えた携帯電話を用いた例を示したが、携帯電話や折り畳み式に限定されない。
【００２０】
図１は、送信側携帯電話から受信側電話端末に立体画像データ等を送信し、受信側電話機で立体画像を表示する例を示している。
図１で、ユーザ１が、２眼カメラ２８を備えた携帯電話２で撮影した物体３のステレオ表示画像データを、携帯電話２から、基地局４、モバイル通信網や無線ＬＡＮ通信網等の無線通信網５、および基地局６を介して通話相手７の携帯電話８宛に送信すると、携帯電話８は受信したステレオ表示画像データを左右画像データに分離して、内蔵する立体画像表示装置３３に転送することにより、立体画像表示装置３３は後述するような立体映像表示方式（図６〜図１０参照）で、携帯電話２の立体画像表示窓１０を介して空間に浮かんでいるように物体３の立体映像１１を表示する。
【００２１】
なお、携帯電話２側で立体画像を添付ファイル化してメールに添付して携帯電話８宛て送信し、携帯電話８ではメール受信時にステレオ表示画像データの添付ファイルが添付されていると添付ファイルを開いて立体映像１１を表示することもできる。
【００２２】
図２は、携帯電話同士で撮影した画像および音声の送受信をリアルタイムに行い、立体映像を表示する相互通信による立体（３次元）テレビ電話の実現例を示している。
図２で、ユーザ１および通話相手７が携帯電話２、８で撮影したユーザ１および通話相手７のステレオ表示画像データを、無線通信網５等を介して携帯電話２および８から携帯電話８および２宛に送信すると、携帯電話２、８は受信したステレオ表示画像データを分離した後、内蔵するそれぞれの立体画像表示装置３３に転送する。携帯電話２の立体画像表示装置３３、携帯電話８の立体画像表示装置３３は後述するような立体映像表示方式で携帯電話２、８の立体画像表示窓１０を介して空間に浮かんでいるように立体映像９、１１を表示すると共に受話音声および送話音声を入出力する。これにより、各ユーザは、相手（立体映像）を見ながら通話することができる。
【００２３】
図３は、携帯電話２からの要求により外部サーバー１６から送信されたデータベース１７の立体画像データを受信し、携帯電話２で立体映像１８を表示する例を示している。なお、実施例では携帯電話２を用いているが、携帯電話は後述するような立体映像表示方式の立体画像表示機能を有している携帯電話であればよく、図１、図２の例のように２眼カメラ２８を備えていなくてもよい。
【００２４】
図３で、ユーザ１が携帯電話２から無線通信網５やインターネット１３等の通信回線網を介してサーバー１６にアクセスしてデータベース１７に格納されている立体映像情報を検索したり、立体情報のホームページにアクセスすると、サーバー１６は要求された立体画像データ（ステレオ表示画像データ）等をインターネット１３や無線通信網５を介して携帯電話２に送信する。携帯電話２は、内蔵する立体画像表示装置３３により後述するような立体映像表示方式で携帯電話２の立体画像表示窓１０を介して空間に浮かんでいるように立体映像１８を表示する。
【００２５】
図４は、図１〜３に示した携帯電話２の内部構成例を示すブロック図であり、携帯電話２は、無線送受信部２１、無線信号処理部２２、制御部２３、キー入力部２４、ＲＯＭ等からなるプログラム格納メモリ２５、ＤＲＡＭ等からなる一時記憶メモリ２６、音声信号入出力部２７、２眼カメラ２８、画像データ処理部２９、画像分離部３０、２次元画像表示部３１、圧縮／伸張部３２、および立体画像表示装置３３を備えている。
【００２６】
無線送受信部２１は、無線によりアンテナ２１１を介して音声信号や画像データ等のデータを送受する。無線信号処理部２２は無線送受信部２１で受信した音声信号や画像データ等のデータを復調したり、無線送受信部２１から送信する音声信号やデータを変調するなどの無線通信に必要な処理を行う。
【００２７】
制御部２３は、図示の各内部構成要素を総括し、プログラム格納メモリ２５に格納されている制御プログラム及び動作プログラムにより、各内部構成要素の動作を制御する。動作プログラムには、通信制御プログラムや、撮像制御プログラム、画像処理プログラム、モード選択プログラム、および立体画像表示制御プログラム等が含まれている。また、通信制御プログラムはモバイル網や無線ＬＡＮ網５との接続制御プログラムを含んでいる。
【００２８】
キー入力部２４は、電源キー、テンキー、送受信開始キー、送受信停止キー、カーソルキー、取り消しキー、決定キー、シャッターキー等の各種キーを含みこれらのキーが操作されると対応する信号が制御部２３に送出される。
【００２９】
プログラム格納メモリ２５は、制御部２３の制御プログラムおよび動作プログラムが記録されているメモリであり、無線通信端末として必要な各種データを記憶し、且つ制御部２３が動作する上で必要なプログラムやデータを記憶する。例えば、制御プログラムや、モード選択プログラム、各種モード時の動作プログラム、３次元画像表示プログラム等の動作プログラム（アプリケーションプログラム）等を記憶している。これらのプログラムは、選択されたモードの処理段階に応じて呼び出され制御部２３によって実行される。
【００３０】
一時記憶メモリ２６は、ＤＲＡＭ等のメモリで構成され、無線通信端末として必要な各種データを記憶し、且つ制御部２３が動作する上で必要なプログラムやデータを記憶する。また、一時記憶メモリ２６は、画像データ処理部２９からの画像データを一時記憶するバッファメモリや、各種プログラムによるデータ処理に必要なワークメモリとしても用いられる。
【００３１】
音声信号入出力部２７は、マイクロフォンから入力された音声信号を符号化処理したり、無線信号処理部２２から出力された信号に基づいて音声信号を復号してスピーカから出力したりする。
【００３２】
２眼カメラ２８は、図５に示すように、表示画面１９側の上端右に設けられたカメラ２８Ｒおよび表示画面１９側の上端左に設けられた第２のカメラ２８Ｌからなり、それぞれ、撮像レンズ２８１Ｒ、２８１Ｌ、撮像素子２８２Ｒ、２８２Ｌ、信号変換部２８３Ｒ、２８３Ｌや、図示しない撮像タイミング制御部や撮影補助光源等を含む撮像信号系からなる。
撮影時には１回のシャッター操作で第１のカメラ２８Ｒおよび第２のカメラ２８Ｌの両方で撮影が行われる。第１のカメラ２８Ｒで撮影された被写体像１００は、撮像レンズ２８１Ｒを経由し、撮像レンズ２８１Ｒの撮像光軸後方に配置された撮像素子２８２Ｒに入射した被写体光像は撮像素子２８２Ｒによって光電変換され撮像信号（アナログ）として出力される。撮像素子２８２Ｒの出力信号は信号変換部２８３Ｒで相関二重サンプリングおよびゲイン調整され、Ａ／Ｄ変換により撮像信号Ｒ（デジタルデータ）に変換される。Ａ／Ｄ変換された撮像信号Ｒは所定の周期で画像データ処理部２９に送られる。また、第２のカメラ２８Ｌで撮影された被写体光像Ｌも撮像レンズ２８１Ｌ、撮像素子２８２Ｌ、信号変換部２８３Ｌを経て同様に撮像信号Ｌに変換され画像データ処理部２９に送られる。
【００３３】
画像データ処理部２９は、２眼カメラ２８から出力された撮像信号Ｒ、Ｌ（デジタルデータ）に対してそれぞれ画像補間処理及びγ補正処理を含むカラープロセス処理を行ってデジタル値の輝度信号Ｙ及び色差信号Ｃｂ、Ｃｒを生成し、画像データＲ、Ｌとし、１フレーム分の画像データＲと画像データＬを連結してステレオ表示画像データとしてＤＲＡＭ等の一時記憶メモリ２６にバスを介して転送する。１フレーム分の画像データＲ、Ｌの画素サイズがＸドット×Ｙドットであれば、２Ｘドット×Ｙドットのステレオ表示画像データとして記憶すると共に、制御部２３の制御により、所定時間間隔でステレオ表示画像データを画像分離部３０を介して２次元２次元画像表示部３１および立体画像表示装置３３に転送する。
【００３４】
画像分離部３０は、ステレオ表示画像データを受け取ると、ステレオ表示画像データを画像データＲと画像データＬに分離して２次元２次元画像表示部３１および立体画像表示装置３３に送る。画像分離部は、１フレーム分のステレオ表示画像データのサイズが２Ｘドット×Ｙドットであれば、それぞれＸドット×Ｙドットの画像データＲ、Ｌに分離する。
【００３５】
画像表示部３１は、表示制御部、表示用バッファ、および２次元画像表示用のＬＣＤ（液晶ディスプレイ）１９（図１）を有し、画像分離部３０によって分離された画像データＲ（画像データＬとしてもよい）を表示用バッファに取り込んで、ＬＣＤ１９に２次元画像表示する。
【００３６】
圧縮／伸張部３２は、画像送信時若しくはＴＶ電話（会話および送受信のリアルタイム表示）時（図２参照）には、画像データ処理部２９から一時記憶メモリ２６に送られたステレオ表示画像データを圧縮し、無線信号処理部２２に送り、画像受信時若しくはＴＶ電話時には、他の携帯電話から送信され、無線送受信部２１および無線信号処理部２２を介して受信処理されたステレオ表示画像データ（圧縮画像データ）を伸張し、一時記憶メモリ２６に記憶する。一時記憶メモリ２６に記憶されたステレオ表示画像データは制御部２３の制御により、所定時間間隔で２次元画像表示部３１に転送される。
【００３７】
立体画像表示装置３３は、携帯電話２の筐体内に設けられており、図示しない立体画像表示制御部、表示バッファＬ、表示バッファＲと、図６〜図１０に示すような投影部３３１および折り畳み式ハーフミラー３３３若しくは回動可能に構成された折り畳み式凹面鏡３３４及び３３５等を備えている。
画像データ処理部２９から所定時間間隔で転送され、画像分離部３０で分離された画像データＲ、画像データＬは、それぞれ、表示バッファＲ、表示バッファＬに取り込まれ、投影部３３１で生成した実像（ステレオ表示画像）を折り畳み式ハーフミラー３３３若しくは折り畳み式凹面鏡３３４、３３５に投影する。これにより、虚像（立体映像）９が空間に浮かんで見える。
折り畳み式ハーフミラー３３３若しくは折り畳み式凹面鏡３３５は折り畳み式携帯電話２の蓋部を開ける際に追従して回動し、所定の角度に保持される。また、蓋部を閉じる際は追従して閉じるように構成されている。
【００３８】
図６は、立体画像表示装置３３の構成例（ハーフミラー＋プロジェクタ投影方式）を示す図であり、投影部３３１は、反射板３３１１、光源３３１２、インテグレータ光学系またはレンズアレイ拡散板３３１３、リレー・レンズ３３１４、コンデンサ・レンズ３３１５、ＬＣＤ表示パネル３３１６、投影レンズ３３２０からなり、光源３３１２からの光線は反射板３３１１で反射され、インテグレータ光学系またはレンズアレイ拡散板３３１３、リレー・レンズ３３１４、およびコンデンサ・レンズ３３１５を介して、ＬＣＤ表示パネル３３１６を透過し、ＬＣＤ表示パネル３３１６に表示される２次元画像（ステレオ表示画像）を投影レンズ３３２０を介してミラー３３２で反射させて立体画像表示窓１０を介してハーフミラー３３３に投影し、虚像の立体映像９を表示することにより、立体画像表示を実現する。
【００３９】
ＬＣＤ表示パネル３３１６は、視差を利用して撮影した２枚の画像（画像分離部３０でステレオ表示画像データから分離された画像データＲ、Ｌ）を２次元画像（ステレオ表示画像）により立体表示可能とするために画像表示層Ｒと画像表示層Ｌが１枚の表示面に集積されたものである。画像表示層Ｒと画像表示層Ｌには、カメラ２８Ｒとカメラ２８Ｌ間の視差を利用した異なる画像（ステレオ表示画像）が表示され、このため立体視効果が表れる。
【００４０】
図７は、立体画像表示装置３３の構成例（ハーフミラー方式＋積層ＬＣＤ方式）を示す図であり、投影部３３１は図示しない光源および反射板等と、体積走査型の積層型ＬＣＤ３３１７からなり、積層型ＬＣＤ３３１７を体積走査してなる実像（ステレオ表示画像）をハーフミラー３３３に投影し、虚像（立体映像）９を表示することにより、立体画像表示を実現する。体積表示型の積層型ＬＣＤによる立体画像表示方法については、公知の方式を適用できる。
【００４１】
図８は、立体画像表示装置の構成例（凹面鏡方式＋回転表示方式）を示す図であり、投影部３３１は図示しない光源および反射板等と、ＬＥＤアレイ若しくは有機ＥＬ等からなる回転式表示部３３１８からなり、ＬＥＤアレイ若しくは有機ＥＬ等からなる回転式表示部３３１８によって順次表示される２次元画像（ステレオ表示画像）の部分画像を固定の凹面鏡３３４で反射させて折り畳み式凹面鏡３３５に投影し、虚像の立体映像９を表示することにより、立体画像表示を実現する。
【００４２】
図８（ｂ）は回転式表示部３３１８の一実施例を示し、回転式表示部３３１８は回転筒上に複数のＬＥＤを２次元配置したＬＥＤアレイ３３１８−１と回転筒を回転させるモータ３３１８−２からなり、ＬＥＤアレイ３３１８−１上に表示されるステレオ表示画像の部分画像が回転に伴って順次凹面鏡３３４で反射され、折り畳み式凹面鏡３３５に投影されるので、ユーザの目には立体像全体が回転しながら浮き上がって見える。ＬＥＤアレイ若しくは有機ＥＬ等からなる回転式表示部による立体画像表示方法については、公知の方法、例えば、特許文献２（特開２００２−７７３４１号公報）に開示の技術を適用することができる。
【００４３】
図９は、立体画像表示装置３３の構成例（凹面鏡方式＋回転スクリーン方式）を示す図であり、投影部３３１は、図９（ａ）に示すように、ＬＥＤまたは半導体レーザー等からなる光源３３２１、回転走査ミラー（ポリゴンミラー）３３２２、ＬＣＤ表示パネル３３１６、ｆ−θレンズ３３２３および回転スクリーン３３１９からなり、回転走査ミラー３３２２からの光線はＬＣＤ表示パネル３３１６を透過し、ＬＣＤ表示パネル３３１６に表示される２次元画像（ステレオ表示画像）をｆ−θレンズ３３２３を介して回転スクリーン３３１９に投影し、投影された２次元画像を体積走査して固定の凹面鏡３３４で反射させて折り畳み式凹面鏡３３５に投影し、虚像（立体映像）９を表示することにより、立体画像表示を実現する。回転スクリーン方式による立体画像表示方法については公知の方法を適用できる。
【００４４】
図１０（ａ）は、立体画像表示装置３３の構成例（凹面鏡方式＋３次元ダミーへの２次元画像投影）を示す図であり、投影部３３１は、反射板３３１１、光源３３１２、インテグレータ光学系またはレンズアレイ拡散板３３１３、リレー・レンズ３３１４、コンデンサ・レンズ３３１５、ＬＣＤ表示パネル３３１６、投影レンズ３３２０、およびダミー人形３３２５からなり、光源３３１２からの光光線は反射板３３１１で反射され、インテグレータ光学系またはレンズアレイ拡散板３３１３、リレー・レンズ３３１４、およびコンデンサ・レンズ３３１５を介して、ＬＣＤ表示パネル３３１６を透過し、ＬＣＤ表示パネル３３１６に表示される２次元画像（ステレオ表示画像であってもよい）を投影レンズ３３２０を介してダミー人形（立体スクリーン）３３２５に投影することによりなる擬似立体映像を固定の凹面鏡３３４で反射させて折り畳み式凹面鏡３３５に投影し、虚像の立体映像９を表示することにより、立体画像表示を実現する。
【００４５】
図１０（ｂ）は、凹面鏡方式＋３次元ダミーへの２次元画像投影による立体表示の原理を示す図であり、プロジェクタ９０からの光線によってＬＣＤ表示パネル３３１６に表示される顔の２次元画像９１は、プラモデルや風船等からなる平均（標準）顔の立体ダミー（立体スクリーン）９２に投影され、擬似立体の顔画像９３となる。
従って、図１０の凹面鏡方式＋３次元ダミー２次元画像投影による立体表示は、ダミー人形（立体スクリーン）の形状やサイズによって制限されることとなり、顔画面等、特定被写体部分の立体像に限定される。
【図面の簡単な説明】
【００４６】
【図１】本発明のカメラ付情報端末を用いた立体画像表示システムの一実施例の概要説明図である。
【図２】本発明のカメラ付情報端末を用いた立体画像表示システムの一実施例の概要説明図である。
【図３】本発明のカメラ付情報端末を用いた立体画像表示システムの一実施例の概要説明図である。
【図４】図１〜３に示した２眼カメラ付の携帯電話の主要部の構成を示すブロック図である。
【図５】２眼カメラの内部構成例を示すブロック図である。
【図６】立体画像表示装置の構成例（ハーフミラー方式＋プロジェクタ投影方式）を示す図である。
【図７】立体画像表示装置の構成例（ハーフミラー方式＋積層ＬＣＤ方式）を示す図である。
【図８】立体画像表示装置の構成例（凹面鏡方式＋回転表示方式）を示す図である。
【図９】立体画像表示装置の構成例（凹面鏡方式＋回転スクリーン方式）を示す図である。
【図１０】立体画像表示装置の構成例（凹面鏡方式＋３次元ダミー２次元画像投影）を示す図である。
【符号の説明】
【００４７】
１  ユーザ
２、８  携帯電話
５  モバイル網・無線ＬＡＮ網（無線通信網）
３  物体
７  通話相手
９、１１、１８  立体映像
１０  立体画像表示窓
２３  制御部
２６  一時記憶メモリ
２８  ２眼カメラ
２９  画像データ処理部
３１  ２次元画像表示部
３３  立体画像表示装置
９０  プロジェクタ
９２  立体ダミー（立体スクリーン）
３３１  投影部
３３２  ミラー（平面反射鏡）
３３３  ハーフミラー（立体表示部材）
３３４  凹面鏡（立体表示部材）
３３５  折り畳み式凹面鏡（立体表示部材）
３３１６  ＬＣＤ表示パネル（合成表示手段）
３３１７  積層型ＬＣＤ（合成表示手段）
３３１８  回転式表示部（合成表示手段）
３３１９  回転スクリーン
３３２５  ダミー人形（立体スクリーン）
【図１】
2010141447.tif 000003
【図２】
2010141447.tif 000004
【図３】
2010141447.tif 000005
【図４】
2010141447.tif 000006
【図５】
2010141447.tif 000007
【図６】
2010141447.tif 000008
【図７】
2010141447.tif 000009
【図８】
2010141447.tif 000010
【図９】
2010141447.tif 000011
【図１０】
2010141447.tif 000012